(57)【要約】【課題】本発明は、商品を販売する販売方法およよび販売プログラムに関し、販売中止指示されたメーカ、商品分類、商品などのコードをファイルに登録し、ＰＯＳ端末で顧客が陳列棚から持ってきた商品のバーコードを読み取って精算する際に、当該ファイルを参照して販売中止商品のときはその旨を表示して販売を中止して商品を回収し、簡易な作業で販売中止商品を即時かつ確実に販売中止すると共に回収することを目的とする。【解決手段】販売中止する商品に関する情報を登録するファイルを設け、顧客が陳列棚などから持ってきた商品に添付されている情報を読み取るステップと、読み取った情報をもとに、前記ファイルを参照して販売中止商品であると判明したときに当該販売中止商品である旨を提示するステップと、販売中止商品でないと判明した商品についてその価格を集計して精算するステップとを有する。【選択図】　図１
2004030016.tif 000002
【特許請求の範囲】
【請求項１】
商品を販売する販売方法において、
販売中止する商品に関する情報を登録するファイルを設け、
顧客が陳列棚などから持ってきた商品に添付されている情報を読み取るステップと、
前記読み取った情報をもとに、前記ファイルを参照して販売中止商品であると判明したときに当該販売中止商品である旨を提示するステップと、
前記販売中止商品でないと判明した商品についてその価格を集計して精算するステップと
を有する販売方法。
【請求項２】
前記読み取った情報をもとに、前記ファイルを参照して販売中止商品であると判明する商品は、該当メーカコードの全ての商品、該当メーカコードのうちの該当商品分類コードの全ての商品、あるいは該当メーカコードのうちの該当商品コードとしたことを特徴とする請求項１記載の販売方法。
【請求項３】
商品を販売する販売プログラムにおいて、
顧客が陳列棚などから持ってきた商品に添付されている情報を読み取るステップと、
前記読み取った情報をもとに、前記ファイルを参照して販売中止商品であると判明したときに当該販売中止商品である旨を提示するステップと、
前記販売中止商品でないと判明した商品についてその価格を集計して精算するステップと
して機能させるための販売プログラム。
【発明の詳細な説明】
【０００１】
【発明の属する技術分野】
本発明は、商品を販売する販売方法および販売プログラムに関するものである。
【０００２】
【従来の技術】
従来、ＰＯＳ端末を使用し、顧客が商品棚から持ってきた商品のバーコードを読み取って集計し精算することが行われている。
【０００３】
この際、ある商品の販売が何らかの原因により中止された場合、店舗の担当者が販売中止された商品を陳列棚から撤去したり、ＰＯＳ端末がアクセスする商品マスタから当該販売中止された商品を１つ１つ削除して当該ＰＯＳ端末で売上できないようにしていた。
【０００４】
【発明が解決しようとする課題】
このため、販売中止された商品が１つの場合には、その商品の撤去および商品マスタから当該販売中止された商品の情報を削除すればよかった。
【０００５】
しかしながら、商品のメーカ指定された販売中止指示に対しては、当該店舗に陳列されている商品のうち、当該販売中止メーカの商品を１つ１つ全て見つけて撤去すると共に商品マスタから同様に、当該販売中止メーカの商品を１つ１つ全て見つけて削除するという手間が発生したり、時として撤去、削除忘れが発生してしまうという問題があった。
【０００６】
また、更に、あるメーカのある商品分類の商品のみ販売中止指示された場合には、店舗内で該当するメーカの該当する商品分類の商品を見つけて撤去および商品マスタから該当するメーカの該当する商品分類の商品を見つけて除去する必要があり、大変な手間が必要となると共に、時として、撤去、削除を部分的に忘れてしまうという問題もあった。
【０００７】
本発明は、これらの問題を解決するため、販売中止指示されたメーカ、商品分類、商品などのコードをファイルに登録し、ＰＯＳ端末で顧客が陳列棚から持ってきた商品のバーコードを読み取って精算する際に、当該ファイルを参照して販売中止商品のときはその旨を表示して販売を中止して商品を回収し、簡易な作業で販売中止商品を即時かつ確実に販売中止すると共に回収することを目的としている。
【０００８】
【課題を解決するための手段】
図１を参照して課題を解決するための手段を説明する。
【０００９】
図１において、ＰＯＳ端末１は、商品に添付されているバーコードを読み取って精算するものであって、ここでは、バーコードスキャナ１１、突合せ判定手段１４などから構成されるものである。
【００１０】
バーコードスキャナ１１は、商品に添付されているバーコードを読み取るものである。
【００１１】
突合せ判定手段１４は、読み取ったバーコード（スキャンコード）をもとに販売中止コードファイル２１を参照して販売中止するかを判定するものである。
【００１２】
店舗サーバ２は、商品に関する情報および販売中止する商品に関する情報を管理するものであって、ここでは、商品マスタ２２および販売中止コードファイル２１などから構成されるものである。
【００１３】
販売中止コードファイル２１は、販売中止する商品に関する情報を登録したものである。
【００１４】
次に、動作を説明する。
ＰＯＳ端末１を構成するバーコードスキャナ１１が顧客によって陳列棚などから持ってこられた商品に添付されているバーコードを読み取り、突合せ判定手段１４が読み取ったバーコードをもとに店舗サーバ２を構成する販売中止コードファイル２１を参照して販売中止商品であると判明したときに販売中止商品である旨を表示し、一方、販売中止商品でないと判明した商品についてその価格を集計して精算するようにしている。
【００１５】
この際、商品から読み取った情報をもとに、販売中止ファイル２１を参照して販売中止商品であると判明する商品は、該当メーカコードの全ての商品、該当メーカコードのうちの該当商品分類コードの全ての商品、あるいは該当メーカコードのうちの該当商品コードとするようにしている。
【００１６】
従って、販売中止指示されたメーカ、商品分類、商品などのコードをファイルに登録し、ＰＯＳ端末１で顧客が陳列棚から持ってきた商品のバーコードを読み取って精算する際に、当該ファイルを参照して販売中止商品のときはその旨を表示して販売を中止して商品を回収することにより、簡易な作業で販売中止商品を即時かつ確実に販売中止すると共に回収することが可能となる。
【００１７】
【発明の実施の形態】
次に、図１から図５を用いて本発明の実施の形態および動作を順次詳細に説明する。
【００１８】
図１は、本発明のシステム構成図を示す。
図１において、ＰＯＳ端末１は、商品に添付されているバーコードを読み取って精算するものであって、ここでは、バーコードスキャナ１１、スキャンコード読取手段１２、コード抽出手段１３、突合せ判定手段１４、確認メッセージ表示手段１５などから構成されるものである。
【００１９】
バーコードスキャナ１１は、商品に添付されているバーコード（スキャンコード４）を読み取るものである。
【００２０】
スキャンコード読取手段１２は、バーコードスキャナ１１で商品に添付されているラベルからバーコード（スキャンコード）を読み取るものである。ここで、スキャンコード４は、下段に記載したように、メーカーコード、商品コード、およびＣ／Ｄ（チェック用のコード）などから構成されている。
【００２１】
コード抽出手段１３は、読み取ったスキャンコード４中からメーカコード、商品コードなどを抽出するものである。例えば１３桁ＪＡＮコード（メーカコード７桁バージョン）では、先頭から７桁がメーカコードであるので、これを抽出する。
【００２２】
突合せ判定手段１４は、コード抽出手段１３によってスキャンコード４から抽出したコード（メーカコード、商品コード）をもとに、店舗サーバ２の販売中止コードファイル２１を参照して販売中止対象の商品として登録されているか判定するものである。
【００２３】
確認メッセージ表示手段１５は、確認メッセージ（図５参照）を表示し、販売中止を知らせるものである。
【００２４】
店舗サーバ２は、店舗内に配置し、複数のＰＯＳ端末１を統括制御するものであって、ここでは、販売中止コードファイル２１に販売中止対象のコードを登録して各ＰＯＳ端末１で当該登録したコードに対応する商品の販売中止させたり、商品の精算をＰＯＳ端末１に行わせたりなどするものであり、販売中止コードファイル２１、商品マスタ２２などから構成されるものである。
【００２５】
販売中止コードファイル２１は、販売中止する商品に関する情報（メーカコード、メーカの商品分類コードあるいはメーカの商品コード）などを登録するものである。
【００２６】
商品マスタ２２は、商品に関する価格などを登録したものである。
管理用コンソール３は、図示外の本部から販売中止対象に関する商品（メーカ、商品分類、商品）の連絡を受けたときに販売中止コードファイル２１に販売中止商品に関するコードを登録し、各ＰＯＳ端末１に当該登録したコードに関する商品の販売を中止させたりなどするものである。
【００２７】
次に、図２のフローチャートの順番に従い、図１の構成のもとで販売中止コードファイル２１に販売中止商品に関する情報（コード）を登録し、店舗内の全てのＰＯＳ端末１で販売中止商品の販売を中止させるときの手順を詳細に説明する。
【００２８】
図２は、本発明の動作説明フローチャート（登録）を示す。
図２において、Ｓ１は、取り扱い中止の本部指示有りか判別する。ＹＥＳの場合には、Ｓ２に進む。ＮＯの場合には、ここでは、終了する。
【００２９】
Ｓ２は、個別単品ではなく、特定メーカ品をまとめてか判別する。ＹＥＳの場合には、特定メーカの商品をまとめて、販売中止の指示と判明したので、Ｓ３に進む。一方、ＮＯの場合には、個別所品の販売中止の指示と判明したので、Ｓ９で単品ごとに商品マスタ更新（該当商品のコードの削除、販売中止）する。尚、この際、販売中止コードファイル２１に単品の販売中止指示された商品コードを登録し、ＰＯＳ端末１で商品のバーコードを読み取って販売中止コードファイル２１に登録されている商品コードのときは販売中止メッセージを表示して販売中止および商品を回収するようにしてもよい。
【００３０】
Ｓ３は、Ｓ２のＹＥＳで特定メーカの商品の販売中止指示と判明したので、販売中止指示のあったメーカコードを管理者が入力する。
【００３１】
Ｓ４は、商品マスタ２２を読み込む。
Ｓ５は、商品マスタ２２にありか判別する。ＹＥＳの場合には、Ｓ６に進む。ＮＯの場合には、Ｓ４に戻り繰り返す。
【００３２】
Ｓ６は、Ｓ５のＹＥＳで商品マスタ２２に販売中止指示のあったメーカコードを含む商品コードが登録されていると判明したので、販売中止する商品コードを抽出する。ここでは、抽出するコードとして、メーカコードあるいはスキャンコードである。
【００３３】
Ｓ７は、終わりか判別する。ＹＥＳの場合には、Ｓ８に進む。ＮＯの場合には、Ｓ４に戻り繰り返す。
【００３４】
Ｓ８は、販売中止コードファイルに登録する。これにより、販売中止指示のあったメーカについて、当該メーカのメーカコードあるいは当該メーカのメーカコードと商品コードを含むスキャンコードの全てが商品マスタ２２から抽出されて販売中止コードファイル２１に登録されることとなる。
【００３５】
以上によって、本部から販売中止するメーカ、商品分類、商品などが通知されると、当該メーカのメーカコードをもとに商品マスタ２２を検索して該当する商品が存在する場合には、当該メーカコードあるいは当該メーカコードを含む全てのスキャンコードを抽出し、販売中止コードファイル２１に自動登録することにより、登販売中止商品に関するコードを確実かつもれなく販売中止コードファイル２１に登録することが可能となる。
【００３６】
次に、図３のフローチャートの順番に従い、図１の構成のもとで、ＰＯＳ端末１で顧客が陳列棚などから持ってきた商品の精算時に販売中止商品の販売中止および回収を行うときの手順を詳細に説明する。
【００３７】
図３は、本発明の動作説明フローチャート（販売）を示す。
図３において、Ｓ１１は、商品をスキャンする。これは、図１のＰＯＳ端末１を構成するバーコードスキャナ１１により、顧客が陳列棚などから持ってきた商品に添付されているバーコードをスキャンして読み取る。
【００３８】
Ｓ１２は、販売中止コードファイル２１に存在するか判別する。これは、Ｓ１１で商品に添付されているバーコードを読み取って当該読み取ったバーコード（スキャンコード４）自身あるいは当該スキャンコードから抽出したメーカコードが販売中止コードファイル２１に登録されて販売中止対象の商品か判別する。ＹＥＳの場合には、Ｓ１５に進む。ＮＯの場合には、Ｓ１６に進む。
【００３９】
Ｓ１３は、Ｓ１２のＹＥＳで販売中止対象の商品であると判明したので、販売中止の確認メッセージを表示する。
【００４０】
Ｓ１４は、商品の販売の中止か判別する。ＹＥＳの場合には、Ｓ１５の売上登録をキャンセルし、Ｓ１６に進む。ＮＯの場合には、Ｓ１６に進む。
【００４１】
Ｓ１６は、スキャンして精算する商品が終わりか判別する。ＹＥＳの場合には、Ｓ１７で精算し、商品を顧客に渡し、終了する。ＮＯの場合には、次の商品についてＳ１１以降を繰り返す。
【００４２】
以上によって、顧客が商品をカウンタに持ってくると、レジ担当者がＰＯＳ端末１のバーコードスキャナ１１で商品に添付されているバーコードを読み取り、当該読み取った商品のスキャンコードあるいは当該スキャンコードから抽出したメーカコードについて店舗サーバ２内の販売中止コードファイル２１を参照して販売中止対象のコードであると判明した場合（Ｓ１２のＹＥＳの場合）には、販売中止の確認メッセージを表示し、販売を中止および販売中止の商品を回収することが可能となる。
【００４３】
図４は、本発明の商品マスタ例を示す。商品マスタ２２には、図示の下記の情報を対応づけて登録する。
【００４４】
・スキャンコード：
・メーカコード：
・商品コード：
・商品分類コード（部門コード）：
・商品名称：
・標準価格：
・その他：
ここで、スキャンコードは商品のメーカコード＋商品コードから構成され、商品に添付されたバーコードから読み取ったコードに対応する（図１参照）。商品分類コード（部門コード）は商品の分類コードであって、例えばスナック菓子に付与されたコード”００１０１０”であり、スキャンコード（メーカコード＋商品コード）で表される一意の商品に対して、当該商品分類コード（スナック菓子のときは”００１０１０”）を付与していずれの商品分類に属する商品であるかを登録したものである。商品名称、標準価格はスキャンコード（メーカコード＋商品コード）で表される商品の名称、標準価格などである。
【００４５】
以上のように、スキャンコード（メーカコード＋商品コード）に対応づけて商品分類コード、商品名称、標準価格などを登録し、スキャンコードで表される商品について、商品分類、商品名称、標準価格などを参照することが可能となる。これにより、本発明では、販売中止対象の商品の指定として、
▲１▼スキャンコード中のメーカコード：指定されたメーカコードを含む全てのスキャンコードの商品が販売中止対象となる。
【００４６】
▲２▼スキャンコードに対応づけて登録した商品分類コード：指定された商品部類コードが登録されている全てのスキャンコードが販売中止対象となる。
【００４７】
▲３▼スキャンコード（メーカコード＋商品コード）：指定されたスキャンコードの商品が販売中止対象となる。
のいずれかの形式あるいは複数の形式で販売中止コードファイル２１に登録し、ＰＯＳ端末１で商品を顧客に販売するときに、▲１▼から▲３▼の該当する商品の販売中止かつ商品回収を確実かつ即時に実施することが可能となる。
【００４８】
図５は、本発明の販売中止・確認メッセージ例を示す。これは、既述した図３のＳ１３で表示するメッセージ例を示し、ここでは、図示の下記のように表示する。
【００４９】
・販売中止の商品です。
確認してください。
【００５０】
・商品名　　　：Ａ菓子
・メーカコード：ＸＸＸＸＸＸＸ
・現在売価　　：￥１９８円
（付記１）
商品を販売する販売方法において、
販売中止する商品に関する情報を登録するファイルを設け、
顧客が陳列棚などから持ってきた商品に添付されている情報を読み取るステップと、
前記読み取った情報をもとに、前記ファイルを参照して販売中止商品であると判明したときに当該販売中止商品である旨を提示するステップと、
前記販売中止商品でないと判明した商品についてその価格を集計して精算するステップと
を有する販売方法。
【００５１】
（付記２）
前記読み取った情報をもとに、前記ファイルを参照して販売中止商品であると判明する商品は、該当メーカコードの全ての商品、該当メーカコードのうちの該当商品分類コードの全ての商品、あるいは該当メーカコードのうちの該当商品コードとしたことを特徴とする付記１記載の販売方法。
【００５２】
（付記３）
商品を販売する販売プログラムにおいて、
顧客が陳列棚などから持ってきた商品に添付されている情報を読み取るステップと、
前記読み取った情報をもとに、前記ファイルを参照して販売中止商品であると判明したときに当該販売中止商品である旨を提示するステップと、
前記販売中止商品でないと判明した商品についてその価格を集計して精算するステップと
して機能させるための販売プログラム。
【００５３】
（付記４）
商品を販売する販売プログラムを記録したコンピュータ読取可能な記録媒体において、
コンピュータに、
顧客が陳列棚などから持ってきた商品に添付されている情報を読み取るステップと、
前記読み取った情報をもとに、前記ファイルを参照して販売中止商品であると判明したときに当該販売中止商品である旨を提示するステップと、
前記販売中止商品でないと判明した商品についてその価格を集計して精算するステップと
して機能させるプログラムを記憶したコンピュータ読取可能な記録媒体。
【００５４】
【発明の効果】
以上説明したように、本発明によれば、販売中止指示されたメーカ、商品分類、商品などのコードをファイルに登録し、ＰＯＳ端末１で顧客が陳列棚から持ってきた商品のバーコードを読み取って精算する際に、ファイルを参照して販売中止商品のときはその旨を表示して販売を中止して商品を回収する構成を採用しているため、簡易な作業で販売中止商品を即時かつ確実に販売中止すると共に回収することが可能となる。
【図面の簡単な説明】
【図１】本発明のシステム構成図である。
【図２】本発明の動作説明フローチャート（登録）である。
【図３】本発明の動作説明フローチャート（販売）である。
【図４】本発明の商品マスタ例である。
【図５】本発明の販売中止・確認メッセージ例である。
【符号の説明】
１：ＰＯＳ端末
１１：バーコードスキャナ
１２」スキャンコード読取手段
１３：コード抽出手段
１４：突合せ判定手段
１５：確認メッセージ表示手段
２：店舗サーバ
２１：販売中止コードファイル
２２：商品マスタ
３：管理用コンソール
４：スキャンコード
【図１】
2004030016.tif 000003
【図２】
2004030016.tif 000004
【図３】
2004030016.tif 000005
【図４】
2004030016.tif 000006
【図５】
2004030016.tif 000007